(57)【要約】【課題】ゲーム用のカードを多数枚整理して収納することができ、かつコンパクトな形態として携行性を高め、カードの取り出しを容易とするカードゲーム用カードケースを提供することにある。【解決手段】中央で２つ折り可能とする折曲部２の左右に連なる面部３，３の合わせ面に複数のカード収納部４が対称形として設け、このカード収納部は、所要枚数のカード６を重ねて平坦状に収納し得る凹陥状に形成し、このカード収納部の一隅部に収納カードの妄動を防ぐためのポケットを構成するポケット区画板７およびカードを弾性的に押圧するカード押え片８を一体的に形成したことにある。【選択図】図１
2007117187.tif 000002
【特許請求の範囲】
【請求項１】
中央で２つ折り可能とする折曲部の左右に連なる面部の合わせ面に複数のカード収納部が対称形として設けられ、このカード収納部は、所要枚数のカードを重ねて平坦状に収納し得る凹陥状に形成されており、このカード収納部の一隅部に収納カードの妄動を防ぐため該カードを弾性的に押圧するカード押え片が一体的に形成されていることを特徴とするカードゲーム用カードケース。
【請求項２】
前記カード収納部のカード押え片に隣接する位置で左右の面部を閉じ合わせたとき互いに合致する隅部にカードの一隅を挿入してホールドするポケットを形成するポケット区画板がカード収納部の側壁に一体的に設けられている請求項１記載のカードゲーム用カードケース。
【請求項３】
前記カード収納部の前記カード押え片とは反対側の長手方向一端壁の内側面が、カードをスライドさせたときその先端を誘導してカード収納部から出しやすくするため円弧状乃至斜面からなるカード誘導面とされている請求項１または２記載のカードゲーム用カードケース。
【請求項４】
前記カード収納部を区画形成している側壁の一部に、手指によりカードを取り出し操作するための切欠部が形成されている請求項１〜３のいずれか１項記載のカードゲーム用カードケース。
【請求項５】
前記折曲部を含む面部の外面を透明シートでくるんでその端縁を熱接着し、このシートと面部との間にカードゲームの種類と対応する絵柄等を施した表紙を挿入するようになされている請求項１〜４のいずれか１項記載のカードゲーム用カードケース。
【請求項６】
前記面部を閉じ合わせたとき互いに係着して閉止状態を保つためのロック部が形成されている請求項１〜５のいずれか１項記載のカードゲーム用カードケース。
【請求項７】
合成樹脂により一体成形され、中央で２つ折り可能とする折曲部の左右に連なる面部の合わせ面に複数のカード収納部が対称形として設けられ、このカード収納部は、所要枚数のカードを重ねて平坦状に収納し得る凹陥状に形成されており、このカード収納部の面部を閉じ合わせたとき合致する隅部に形成されカードの隅部を挿入してホールドするポケットを形成するポケット区画板と、このポケット区画板に隣設され、カードの妄動を防ぐため該カードを弾性的に押圧するカード押え片と、前記カード収納部を画成する側壁に切設された操作用切欠部と、該カード収納部の前記カード押え片およびポケット区画板とは反対側の長手方向一端壁の内側面に形成されカードをスライドさせて押し出すときその先端を誘導して出しやすくするための円弧状乃至斜面からなるカード誘導面と、前記面部を閉じ合わせ端に設けられ面部を閉じ合わせたとき係着して閉じ状態を保つためのロック部とを具有することを特徴とするカードゲーム用カードケース。
【発明の詳細な説明】
【技術分野】
【０００１】
本発明はゲーム用カードの整理収納と携行に供するカードゲーム用カードケースに関する。
【背景技術】
【０００２】
近時、カードを用いて種々のゲームを楽しむカードゲーム、例えば「甲虫王者ムシキング」、「オシャレ魔女ラブａｎｄベリー」、「デュエルマスターズ」等が特に子供の世界において持て囃されている。
【０００３】
この種のカードゲーム用カードは、子供にとっては一種の「宝もの」であり、大切に保管したり、携行したりするようにしている。
【０００４】
従来は上記カードを所要枚数ずつ透明乃至は有色のプラスチックフィルム製の小袋に入れて保管や携行をしたり、あるいはカードに合わせたサイズの小箱に入れて保管や携行を行うようにしている。
【０００５】
しかるに上記のような小袋や小箱にカードを入れておくには、１袋あるいは１箱当りの収納枚数に限りがあり、多数枚のカードを携行する際など沢山の小袋や小箱を持参しなければならず、持ち運びがやりにくいという問題点が挙げられている。
【０００６】
また上記のような小袋や小箱を用いたのでは、カードを種類別に整理することがやりにくいばかりでなく、所望のカードを取り出そうとするときそのカードを探し出すことが容易でないという問題点も挙げられている。
【特許文献１】特開２００５−１０４１２１号公報
【特許文献２】特開２００２−１７２０１３号公報
【特許文献３】特開２０００−３２５１２９号公報
【特許文献４】実用新案登録第３１１３９６６号公報
【発明の開示】
【発明が解決しようとする課題】
【０００７】
本発明は、カードゲーム用のカードを多数枚収納することができ、かつコンパクトな形態として携行に便ならしめるカードゲーム用カードケースを得ることであり、またカードを種類別に整理して収納することができるようにし、所望のカードの取り出し時にはそのカードを見付けやすくかつ取り出しやすくすることにある。
【課題を解決するための手段】
【０００８】
上記課題を解決する手段として本発明は、中央で２つ折り可能とする折曲部の左右に連なる面部の合わせ面に複数のカード収納部が対称形として設けられ、このカード収納部は、所要枚数のカードを重ねて平坦状に収納し得る凹陥状に形成されており、このカード収納部の一隅部に収納カードの妄動を防ぐため該カードを弾性的に押圧するカード押え片を一体的に形成したことにある。
【０００９】
前記カード収納部のカード押え片に隣接する位置で左右の面部を閉じ合わせたとき互いに合致する隅部にカードの一隅を挿入してホールドするポケットを形成するポケット区画板をカード収納部の側壁に一体的に設けてポケットとすることができる。
【００１０】
また前記カード収納部のカード押え片とは反対側の長手方向一端壁の内側面を、カードをスライドさせたときその先端を誘導してカード収納部から出しやすくするため円弧状乃至斜面からなるカード誘導面とすることが好ましい。
【００１１】
さらにカード収納部を区画形成している側壁の一部に、手指によりカードを取り出し操作するための切欠部を形成することがカードの取り出しを容易にするうえで望ましい。
【００１２】
一方、前記折曲部を含む面部の外面に透明シートでくるんでその端縁を熱接着し、このシートと面部との間にカードゲームの種類と対応する絵柄等を施した表紙を挿入するようにすれば、カード用ケースの汎用性を高めるうえで好ましい。
【００１３】
さらに前記面部を閉じ合わせたとき互いに係着して閉止状態を保つためのロック部を設けることができる。
【発明の効果】
【００１４】
本発明によれば、カードを各カード収納部に種類別にして収納することができるので、整然と分類・整理した状態に収納することができる。
【００１５】
またカード収納部に収納されたカードは、側壁で囲まれた凹陥部内に位置するので、携行中に他の収納部内のカードと入り交ってしまうことがなく、整然と分類整理された状態を維持することができ、カードを使用するとき直ちに所望のカードを取り出すことができる。
【００１６】
またカード収納部内に収納されたカードは、カード押え片により弾圧的に押えられるので、携行中にカードがカード収納部から逸脱することがなく、前述の側壁による凹陥構造と相俟って一層カードの乱れを防止することができる。
【００１７】
カード収納部の一隅にポケット区画板によるポケットを設ければ、カードの一隅がポケット区画板によりホールドされるので、カード押え片との協働により一層カードの乱れを防止することができ、携行時にカードケースが乱暴に扱われても内部でカードが散逸することが防がれる。
【００１８】
カード収納部の端壁内面にカード誘導面を設ければ、カードをスライドさせて取り出すようにしてもスムーズに繰り出させることができ、カードの取り出し操作を容易に行うことができる。
【００１９】
またカード収納部を構成する側壁の一部に切欠部を形成すれば、カードを取り出す際に手指をカードに掛けやすく、カードの取り出しを一層容易にすることができる。
【００２０】
面部の外面を透明シートでカバーし、このシートと面部外面との間にカードゲームの種類と対応する表紙を挿入するようにすれば、カードゲームの種類に応じた表紙を簡単に装着することができ、カードケースの汎用性を高めることができる。
【００２１】
面部を閉じ合わせたとき係着するロック部を設ければ、誤ってカードケースを落したりしても面部が開いてカードを散乱させてしまうようなことを未然に防ぐことができる。
【００２２】
本発明によるカードゲーム用ケースは外形が偏平なブック状を呈しているので、子供向けの雑誌の付録として添付することを妨げず、この種雑誌の付録として使用するとき極めて有効である。
【発明を実施するための最良の形態】
【００２３】
図１、図２は本発明によるカードゲーム用カードケース１の一実施形態を示し、図１はカードゲーム用カードケース１を開けた状態、図２は同閉じた状態を示す斜視図である。
【００２４】
上記カードゲーム用カードケース１（以下単にケースと略称する）は合成樹脂により成形されるもので、中央の背表紙に相当する折曲部２の左右に面部３，３が該折曲部２の折線２ａ，２ａにより折曲して閉じ合わせ自在に連設され、閉じ合わせたとき図２にみられるように偏平なブック状になるように形成されている。
【００２５】
前記面部３，３の合わせ面には複数（図示の例では一つの面部に４個、計８個）のカード収納部４，４…が対称形として設けられており、このカード収納部４は各側壁５により図４に示すようなカード６を所要枚数（例えば１０枚ＭＡＸ）を重ねて可及的密に平坦状に収納し得る面積および深さ形成されている。
【００２６】
前記面部３，３を閉じ合わせたとき合致するカード収納部４の隅部にカード６の一隅部を挿入してホールドするポケットを形成するための所要大きさのポケット区画板７が各カード収納部４，４…の側壁５に一体的に設けられ、このポケット区画板７に隣接してカード押え片８が側壁５に一体的に設けられている。
【００２７】
このカード押え片８は、図３に図１のＡ−Ａ線における拡大断面図として示しているように、先端の自由端８ａが下方へ屈曲されてこの自由端８ａの下面がカード収納部４内に収納されるカード６の上面に圧接してカード６を弾性的に押え、カード６の妄動を防止する機能を有している。
【００２８】
前記側壁５のうち各カード収納部４，４…間を仕切る位置にある側壁５ａの一部に操作用切欠部９が形成されており、この切欠部９から手指を挿入することによりカード６を取り出しやすくされている。
【００２９】
またカード収納部４の前記カード押え片８およびポケット区画板７とは反対側の長手方向一端の側壁５ｂの内側面は、円弧状乃至は斜面からなるカード誘導面１０とされており、この側壁５ｂへ向けてカード６をスライドさせたとき、図３に示しているようにその先端がカード誘導面１０にそってスムーズに外部に突出し、カード６をつまみやすくするようになっている。なおこのカード誘導面１０はこの側壁５ｂの内側面全面を円弧面乃至斜面とせず、円弧状、傾斜状のリブを設けるようにしてカード６を誘導するようにしてもよい。また、上段のカード用のカード誘導面１０は一体的に形成されているのに対し、下段のカード用のカード誘導面１０は切欠部９によって二分されている。
【００３０】
前記面部３，３の折曲部２とは反対側にはロック部が形成されている。このロック部は、一方の面部３の外側壁５ｃに設けられロック爪１１ａを有するロック片１１と、他方の面部３の外側壁５ｄの内側面に形成され前記ロック片１１のロック爪１１ａが係合するロック溝１２とで構成され、面部３，３を閉じ合わせたときロック片１１が弾性的に撓んでそのロック爪１１ａがロック溝１２に係着して面部３，３を閉じ状態に維持し、面部３，３間を強く開けるようにすることによりロック片１１のロック爪１１ａがロック溝１２から外れて面部３，３をひらくことができるようになっている。
【００３１】
図５（Ａ）、（Ｂ）に示すようにケース１の外面をプラスチックの透明シート１３でくるみ、その端縁１３ａ，１３ａを面部３，３の外面に熱接着してカバーし、その透明シート１３とケース１の外面との間にゲームカード６と対応する絵柄や文字が印刷された表紙１４を挿入すれば、ケース１内のゲームカード６の種類が一目で分るようにでき、併せてケース１の汎用性を高めることに寄与する。
【００３２】
図示の実施形態では、カード収納部４を一つの面部３に４個設けた場合について示しているが、ケース１の大きさに応じ適宜増減することは任意である。
【００３３】
以上のように構成されていることにより、ケース１にカード６を収納するには、ロック部のロック片１１のロック爪１１ａをロック溝１２から外して面部３，３をひらき、そのカード収納部４，４…内に所要枚数のカード６を収納する。その際にカード６の一隅部をポケット区画板７およびカード押え片８の下に差し込むようにして落し込むようにすれば、複数枚のカード６であっても乱りに移動することのない状態に安定よく収納することができる。
【００３４】
こうしてカード収納部４，４…にカード６をそれぞれ種類別に分類整理して収納し、面部３，３を閉じ合わせ、ロック部を係着して閉止し、保管や携行に供される。
【００３５】
その後ケース１に振動が加えられても、カード６の一隅がポケット区画板７とカード押え片８とで浮上することが防がれるので、ケース１内でカード収納部４から逸脱してしまうことがない。
【００３６】
また面部３，３を閉じ合わせたとき、各面部３，３のカード収納部４，４…のポケット区画板７，７同士が面接するので、ケース１の面部３，３に外圧が加わっても潰れることがなく、強度の増強に寄与している。
【００３７】
カード６を取り出すときは、ロック部を外して面部３，３をひらき、カード収納部４から所望のカード６を取り出す。その際、側壁５ａの切欠部９から手指を入れてカード６の側縁に手指を当てて上方へ上げるようにするか、あるいはカード６の上面に手指を当て、カード６をカード押え片８とは反対側の側壁５ｂへ向けスライドさせて取り出す。この場合、図３に示すようにカード６の先端が側壁５ｂのカード誘導面１０にそって自ずと上方へ向けて突出するので、その突出端をつまむことにより容易に取り出すことができる。
【図面の簡単な説明】
【００３８】
【図１】本発明によるカードゲーム用カードケースの一実施形態の展開した状態を示す斜視図。
【図２】同、閉じた状態を示す斜視図。
【図３】図１のＡ−Ａ拡大断面図。
【図４】ゲームカードの一例を示す平面図。
【図５】（Ａ）は図２のカードゲーム用カードケースに表示を付した場合の一例を示す斜視図、（Ｂ）は同端面図。
【符号の説明】
【００３９】
１  カードゲーム用カードケース
２  折曲部
３  面部
４  カード収納部
５（５ａ，５ｂ，５ｃ，５ｄ）  側壁
６  ゲーム用カード
７  ポケット区画板
８  カード押え片
９  切欠部
１０  カード誘導面
１１  ロック片
１２  ロック溝
１３  透明シート
１４  表紙
【図１】
2007117187.tif 000003
【図２】
2007117187.tif 000004
【図３】
2007117187.tif 000005
【図４】
2007117187.tif 000006
【図５】
2007117187.tif 000007